(57)【要約】【課題】  パス制御に関するネットワークへの負荷を減らすこと。【解決手段】  送信端末１００と受信端末５００との間を接続する通信用パスＣＰを設定するパス設定方法であって、リンクを含むネットワークシステムのトポロジ、通信用パスＣＰ、および、通信用パスＣＰの一部の区間に設定されるセグメントパスＳＰをネットワークＤＢ２０に格納するパス制御サーバ１が、ネットワークシステムのトポロジおよびセグメントパスＳＰをもとに通信用パスＣＰの経路を計算するパス計算手順と、パス計算手順で算出された経路に基づいて、リンクおよびセグメントパスＳＰから通信用パスＣＰを設定し、ネットワークＤＢ２０に記録するとともに、通信用パスＣＰに使用されたセグメントパスＳＰを開放するパス設定手順と、を実行する。【選択図】      図２
2006157709.tif 000002
【特許請求の範囲】
【請求項１】
送信端末、１つ以上のスイッチ、および、受信端末が互いにリンクで接続されて構成されるネットワークシステムにおいて、送信端末と受信端末との間を接続する通信用パスを設定するパス設定方法であって、
前記リンクを含む前記ネットワークシステムのトポロジ、前記通信用パス、および、前記通信用パスの一部の区間に設定されるセグメントパスをネットワークＤＢに格納するパス制御サーバが、
前記ネットワークシステムのトポロジおよび前記セグメントパスをもとに前記通信用パスの経路を計算するパス計算手順と、
前記パス計算手順で算出された経路に基づいて、前記リンクおよび前記セグメントパスから前記通信用パスを設定し、ネットワークＤＢに記録するとともに、前記通信用パスに使用された前記セグメントパスを開放するパス設定手順と、
を実行することを特徴とするパス設定方法。
【請求項２】
送信端末、１つ以上のスイッチ、および、受信端末が互いにリンクで接続されて構成されるネットワークシステムにおいて、送信端末と受信端末との間を接続する通信用パスを設定するパス設定方法であって、
前記リンクを含む前記ネットワークシステムのトポロジ、前記通信用パス、および、前記通信用パスの一部の区間に設定されるセグメントパスをネットワークＤＢに格納する前記通信用パスの経路上に位置するスイッチが、
前記ネットワークシステムのトポロジおよび前記セグメントパスをもとに前記通信用パスの経路を計算するパス計算手順と、
前記パス計算手順で算出された経路に基づいて、前記リンクおよび前記セグメントパスから前記通信用パスを設定し、ネットワークＤＢに記録するとともに、前記通信用パスに使用された前記セグメントパスを開放するパス設定手順と、
を実行することを特徴とするパス設定方法。
【請求項３】
送信端末、１つ以上のスイッチ、および、受信端末が互いにリンクで接続されて構成されるネットワークシステムにおいて、送信端末と受信端末との間を接続する通信用パスを開放するパス開放方法であって、
前記リンクを含む前記ネットワークシステムのトポロジ、前記通信用パス、および、前記通信用パスの一部の区間に設定されるセグメントパスをネットワークＤＢに格納するパス制御サーバが、
前記ネットワークＤＢに格納された前記通信用パスを開放するパス開放手順と、
所定の条件を満たすときには、前記通信用パスの経路の一部を前記セグメントパスとして、前記ネットワークＤＢに記録するセグメントパス設定手順と、
を実行することを特徴とするパス開放方法。
【請求項４】
前記所定の条件は、前記パス制御サーバがネットワークＤＢに格納する前記通信用パスの制御履歴が所定の頻度を超えるときに、前記セグメントパスを設定することを特徴とする請求項３に記載のパス開放方法。
【請求項５】
送信端末、１つ以上のスイッチ、および、受信端末が互いにリンクで接続されて構成されるネットワークシステムにおいて、送信端末と受信端末との間を接続する通信用パスを開放するパス開放方法であって、
前記リンクを含む前記ネットワークシステムのトポロジ、前記通信用パス、および、前記通信用パスの一部の区間に設定されるセグメントパスをネットワークＤＢに格納する前記通信用パスの経路上に位置するスイッチが、
前記ネットワークＤＢに格納された前記通信用パスを開放するパス開放手順と、
所定の条件を満たすときには、前記通信用パスの経路の一部を前記セグメントパスとして、前記ネットワークＤＢに記録するセグメントパス設定手順と、
を実行することを特徴とするパス開放方法。
【請求項６】
前記所定の条件は、前記スイッチがネットワークＤＢに格納する前記通信用パスの制御履歴が所定の頻度を超えるときに、前記セグメントパスを設定することを特徴とする請求項５に記載のパス開放方法。
【発明の詳細な説明】
【技術分野】
【０００１】
本発明は、パス設定方法およびパス開放方法に関する。
【背景技術】
【０００２】
データを送信する送信端末からデータを受信する受信端末までに、１つ以上のスイッチが経路上にあるときに、送信端末からスイッチを経由して受信端末までの通信用パスを設定し、その通信用パスを介してデータを送信するコネクション型ネットワークが、広く普及している。
【０００３】
そして、光による通信に対応したスイッチにより構成されるフォトニックネットワーク（非特許文献１参照）が、実現されている。光による通信技術は、例えばＳＤＨ／ＳＯＮＥＴ（Synchronous Digital Hierarchy／Synchronous Optical NETwork）規格があり（非特許文献２参照）、光による通信に対応した通信用パスは、例えばＧＭＰＬＳ（Generalized Multi-Protocol Label Switching）（非特許文献３参照）などのシグナリングプロトコルによって確立される。
【非特許文献１】江村克己ほか、“フォトニックネットワークの鍵となる技術”、[online]、［平成１６年１０月１８日検索］、インターネット＜ＵＲＬ：http://www.ieice.org/jpn/books/kaishikiji/200205/200205＿3-1.html＞
【非特許文献２】Alcatel networks、“Alcatel 1354 RM Network Manager for SDH/SONET and Optical Networks”、[online]、［平成１６年１０月１８日検索］、インターネット＜ＵＲＬ：http://www.alcatel.co.jp/doctypes/opgdatasheet/pdfa4/1354RM＿3.pdf＞
【非特許文献３】ＩＥＴＦ、“Generalized Multi-Protocol Label Switching Architecture”、[online]、［平成１６年１０月１８日検索］、インターネット＜ＵＲＬ：http://www.ietf.org/internet-drafts/draft-ietf-ccamp-gmpls-architecture-07.txt＞
【発明の開示】
【発明が解決しようとする課題】
【０００４】
なお、従来のシグナリングプロトコルによるパス制御では、データ送信端末と受信端末の間に通信用パスを設定する際に、経由するスイッチすべてに対して設定指示を送らねばならなかった。そのため、経由するノード数の増加に伴い、パスの設定完了までの時間が延びたり、パスの数の増加に伴って制御メッセージが増加しサーバ負荷が増加するなどのパス制御に関するネットワークへの負荷が高いという問題点があった。
【０００５】
そこで、本発明は、前記した問題を解決し、パス制御に関するネットワークへの負荷を減らすことを主な目的とする。
【課題を解決するための手段】
【０００６】
前記課題を解決するため、本発明は、送信端末、１つ以上のスイッチ、および、受信端末が互いにリンクで接続されて構成されるネットワークシステムにおいて、送信端末と受信端末との間を接続する通信用パスを設定するパス設定方法であって、前記リンクを含む前記ネットワークシステムのトポロジ、前記通信用パス、および、前記通信用パスの一部の区間に設定されるセグメントパスをネットワークＤＢに格納するパス制御サーバが、前記ネットワークシステムのトポロジおよび前記セグメントパスをもとに前記通信用パスの経路を計算するパス計算手順と、前記パス計算手順で算出された経路に基づいて、前記リンクおよび前記セグメントパスから前記通信用パスを設定し、ネットワークＤＢに記録するとともに、前記通信用パスに使用された前記セグメントパスを開放するパス設定手順と、を実行することを特徴とする。
【０００７】
これにより、セグメントパスを用いることで制御するスイッチ数を減らすことができ、ネットワークへの負荷を減らすことが可能となる。
【０００８】
本発明は、送信端末、１つ以上のスイッチ、および、受信端末が互いにリンクで接続されて構成されるネットワークシステムにおいて、送信端末と受信端末との間を接続する通信用パスを設定するパス設定方法であって、前記リンクを含む前記ネットワークシステムのトポロジ、前記通信用パス、および、前記通信用パスの一部の区間に設定されるセグメントパスをネットワークＤＢに格納する前記通信用パスの経路上に位置するスイッチが、前記ネットワークシステムのトポロジおよび前記セグメントパスをもとに前記通信用パスの経路を計算するパス計算手順と、前記パス計算手順で算出された経路に基づいて、前記リンクおよび前記セグメントパスから前記通信用パスを設定し、ネットワークＤＢに記録するとともに、前記通信用パスに使用された前記セグメントパスを開放するパス設定手順と、を実行することを特徴とする。
【０００９】
これにより、セグメントパスを用いることで制御するスイッチ数を減らすことができ、ネットワークへの負荷を減らすことが可能となる。
【００１０】
本発明は、送信端末、１つ以上のスイッチ、および、受信端末が互いにリンクで接続されて構成されるネットワークシステムにおいて、送信端末と受信端末との間を接続する通信用パスを開放するパス開放方法であって、前記リンクを含む前記ネットワークシステムのトポロジ、前記通信用パス、および、前記通信用パスの一部の区間に設定されるセグメントパスをネットワークＤＢに格納するパス制御サーバが、前記ネットワークＤＢに格納された前記通信用パスを開放するパス開放手順と、所定の条件を満たすときには、前記通信用パスの経路の一部を前記セグメントパスとして、前記ネットワークＤＢに記録するセグメントパス設定手順と、を実行することを特徴とする。
【００１１】
これにより、セグメントパスを用いることで制御するスイッチ数を減らすことができ、ネットワークへの負荷を減らすことが可能となる。
【００１２】
本発明は、前記所定の条件が、前記パス制御サーバがネットワークＤＢに格納する前記通信用パスの制御履歴が所定の頻度を超えるときに、前記セグメントパスを設定することを特徴とする。
【００１３】
これにより、セグメントパスを必要なものだけに絞ることができるので、ネットワークリソースの効率的な使用ができる。
【００１４】
本発明は、送信端末、１つ以上のスイッチ、および、受信端末が互いにリンクで接続されて構成されるネットワークシステムにおいて、送信端末と受信端末との間を接続する通信用パスを開放するパス開放方法であって、前記リンクを含む前記ネットワークシステムのトポロジ、前記通信用パス、および、前記通信用パスの一部の区間に設定されるセグメントパスをネットワークＤＢに格納する前記通信用パスの経路上に位置するスイッチが、前記ネットワークＤＢに格納された前記通信用パスを開放するパス開放手順と、所定の条件を満たすときには、前記通信用パスの経路の一部を前記セグメントパスとして、前記ネットワークＤＢに記録するセグメントパス設定手順と、を実行することを特徴とする。
【００１５】
これにより、セグメントパスを用いることで制御するスイッチ数を減らすことができ、ネットワークへの負荷を減らすことが可能となる。
【００１６】
本発明は、前記所定の条件が、前記スイッチがネットワークＤＢに格納する前記通信用パスの制御履歴が所定の頻度を超えるときに、前記セグメントパスを設定することを特徴とする。
【００１７】
これにより、セグメントパスを必要なものだけに絞ることができるので、ネットワークリソースの効率的な使用ができる。
【発明の効果】
【００１８】
本発明は、パスの設定・開放に際し、セグメントパスを用いることを特徴とする。これにより、制御するスイッチ数を減らすことができ、ネットワークへの負荷を減らすことが可能になった。
【発明を実施するための最良の形態】
【００１９】
以下に、本発明が適用される通信システムの一実施形態について、図面を参照して詳細に説明する。図１は、本実施形態で定義する２種類のパスを示す説明図である。図１（ａ）は、セグメントパスＳＰを説明する図であり、図１（ｂ）は、通信用パスＣＰを説明する図である。図１では、送信端末１００から受信端末５００に向けてデータを送信する際に、４つのスイッチ３００（スイッチ３０１→スイッチ３０２→スイッチ３０３→スイッチ３０４）を順に経由する一例を示している。
【００２０】
まず、通信用パスＣＰは、送信端末１００から受信端末５００へデータを送信する際に使用されるパスである。この通信用パスＣＰは、ＭＰＬＳ（Multi Protocol Label Switching）のＬＳＰ（Label Switched Path）などの既存の通信を行うためのパスであり、例えば、ＬＤＰ（Label Distribution Protocol）、ＲＳＶＰ（Resource reSerVation Protocol）などの既存のシグナリングプロトコルによって、確立される。例えば、送信端末１００は、受信端末５００宛ての通信用パスＣＰ（図１（ｂ）参照）を確立する。
【００２１】
一方、セグメントパスＳＰは、本実施形態で独自に定義される概念のパスである。このセグメントパスＳＰは、通信用パスＣＰと同様にＬＳＰ（Label Switched Path）などの通信を行うためのパスである。しかし、セグメントパスＳＰは、ネットワークに設定されているものの、単体では通信には使用されない。なお、これらのパス（通信用パスＣＰ、セグメントパスＳＰ）は、光による通信技術によるパスでもよいし、ＡＴＭ（Asynchronous Transfer Mode）などの一般的な通信用のパスとしてもよい。
【００２２】
そして、セグメントパスＳＰは、通信用パスＣＰの部分区間により構成されるパスであり、セグメントパスＳＰを含む区間で設定される通信用パスＣＰに対して、その通信用パスＣＰの一部の材料として機能する。例えば、スイッチ３０１〜スイッチ３０４間のセグメントパスＳＰ（図１（ａ）参照）は、図１（ｂ）の通信用パスＣＰの一部と成りうる。なお、セグメントパスＳＰは、その端点が、通信用パスＣＰの端点と一致しないように、形成してもよい。そのようなセグメントパスＳＰは、送信端末１００および受信端末５００に接続されていないパスと表現することもできる。
【００２３】
よって、通信用パスＣＰは、装置間のリンクを接続するものであるが、この装置間のリンクの代わりにセグメントパスＳＰを仮想的なリンクとして使用することもできる。つまり、通信用パスＣＰは、互いに隣接する装置間のリンクまたはセグメントパスＳＰを連結したパスである。例えば、図１（ｂ）の通信用パスＣＰは、送信端末１００からスイッチ３０１までの物理リンク、スイッチ３０１〜スイッチ３０４間のセグメントパスＳＰ（図１（ａ）参照）、スイッチ３０１から受信端末５００までの物理リンクを順に接続して構成される。
【００２４】
以下、本実施形態のパス制御を行う通信システムの形態を、２種類挙げる。この２種類の形態は、パス制御が集中型（図２）か、分散型（図３）の違いである。
【００２５】
まず、集中型のパス制御（図２）は、パス制御を一括で行う装置が、通信システム上の全てのパスを制御する。これにより、管理者は、パスの稼働状況を１つの装置から取得するだけで済むので、パスの管理コストを低減できるという利点がある。
【００２６】
図２は、集中型のパス制御を行う通信システムを示す構成図である。通信システムは、パスを制御するパス制御サーバ１と、通信用パスＣＰを介してデータを転送するスイッチ３００と、送信側信号処理部１２０および送信処理部１１０から構成される送信端末１００と、受信側信号処理部５２０および受信処理部５１０から構成される受信端末５００とが、パスの制御信号を通信する際に使用される制御ネットワーク８０によって、接続されている。つまり、パス制御サーバ１が、各装置のパス制御を集中して行う。
【００２７】
そして、送信端末１００、スイッチ３００、および、受信端末５００は、信号回線２００で互いに接続される。また、アンプ４００は、遠距離間の信号回線２００を接続する。なお、信号回線２００は、データ送信端末１００またはスイッチ３００に接続される入力回線、または、データ受信端末５００またはスイッチ３００に接続される出力回線に分類される。
【００２８】
まず、送信端末１００は、スイッチ３００に接続され、送信すべきデータをネットワークを介して接続される回線に伝送する送信処理部１１０と、制御ネットワーク８０に接続され、制御信号の受信に伴い送信処理部１１０に設定されるパス制御処理を起動させる送信側信号処理部１２０と、を含めて構成される。
【００２９】
次に、スイッチ３００は、制御ネットワーク８０に接続され、制御信号の受信に伴いスイッチ制御部３１２のパス制御処理を起動させる中継側信号処理部３１０と、パス設定の指示に従って、スイッチ部３１４にパスを設定するスイッチ制御部３１２と、設定されたパスをもとにデータを転送するスイッチ部３１４と、を含めて構成される。
【００３０】
そして、受信端末５００は、スイッチ３００に接続され、ネットワークを介して接続される回線により伝送される伝送信号を受信しこれからデータを復号する受信処理部５１０と、制御ネットワーク８０に接続され、制御信号の受信に伴い受信処理部５１０に設定されるパス制御処理を起動させる受信側信号処理部５２０と、を含めて構成される。
【００３１】
さらに、パス制御サーバ１は、パス制御部１０とネットワークＤＢ２０から構成される。以下、パス制御サーバ１について、具体的に説明する。
【００３２】
パス制御サーバ１のパス制御部１０は、特定の送信端末１００から受信端末５００までパスを作る。このため、パス制御部１０は、パス計算部１２、パス設定部１４、および、ＤＢ更新部１６を含んで構成される。
【００３３】
パス計算部１２は、トポロジＤＢ２２の情報を参照して、送信端末１００から受信端末５００までをつなぐことが可能な経路を選ぶ。そして、本実施形態では、トポロジＤＢ２２に格納されているリンクに加え、セグメントパスＤＢ２６に格納されているセグメントパスＳＰを組み合わせて、前記送信端末１００から受信端末５００を接続する経路の候補を算出する。なお、経路計算のアルゴリズムは、例えば、ＣＳＰＦ（Constrained Shortest Path First）を利用する。また、経路計算では、セグメントパスＳＰがパスの一部として通常のリンクよりも選択されやすくするため、セグメントパスＳＰのコストを通常のリンクよりも低く設定してもよい。
【００３４】
パス設定部１４は、パス計算部１２により計算されたパスについて、特定の送信端末１００から受信端末５００まで設定する。送信端末１００および受信端末５００間を単数もしくは複数のセグメントパスＳＰを経由して接続するために必要なすべてのスイッチ３００に対してパス設定の指示を行い、スイッチ３００がその指示に従って結線をすることにより、送信端末１００、受信端末５００間のパスが設定される。
【００３５】
ＤＢ更新部１６は、パスの設定時には、パス設定部１４が設定したパスに関する情報を設定パスＤＢ２４に登録するとともに、前記パスの接続に利用された、単数もしくは複数のセグメントパスＳＰの情報をセグメントパスＤＢ２６の記録から削除する。また、パスの開放時には、セグメントパスＳＰを残すか否かの判断を行い、セグメントパスＳＰを残すと判断した場合は、スイッチ３００の開放を行わずに、セグメントパスＳＰとして残すとともに、ＤＢにセグメントパスＳＰ情報を記録する。これにより次のパス設定時にこのセグメントパスＳＰの利用が可能となる。
【００３６】
なお、ＤＢ更新部１６は、セグメントパスＳＰを残すか否かを判断する方式として、必ずセグメントパスＳＰを残す方式でもよいし、パス履歴ＤＢ２８に記録されている通信用パスＣＰ設定の履歴情報を参照して、通信用パスＣＰの設定頻度が高い区間にパスを残す方式でもよいし、あらかじめ管理者がセグメントパスＳＰを設定する区間を指定する方式でもよい。
【００３７】
そして、ＤＢ更新部１６は、セグメントパスＳＰを残すと判断したときに、通信用パスＣＰからセグメントパスＳＰの切り出す区間として、管理者があらかじめ設定した区間としてもよいし、通信用パスＣＰの両端点に対応する端末に隣接するスイッチ３００の区間としてもよい。
【００３８】
パス制御サーバ１のネットワークＤＢ２０は、パスを設定する対象となるネットワークに関する情報を格納する。よって、ネットワークＤＢ２０は、ネットワーク中の各装置（スイッチ３００、送信端末１００、受信端末５００）の間を接続するリンクに関する情報を格納するトポロジＤＢ２２と、ネットワークに設定されている通信用パスＣＰの情報を記録する設定パスＤＢ２４と、ネットワークに設定されているセグメントパスＳＰの情報を記録するセグメントパスＤＢ２６と、通信用パスＣＰの制御に関する履歴を記録するパス履歴ＤＢ２８と、を含めて構成される。
【００３９】
一方、分散型のパス制御（図３）は、個々のパス制御を行う装置が、自装置が経路となるパスのみを制御すればよい。よって、個々の装置において担当するパスの本数を抑制できるので、通信システム全体において、設定できるパスの本数を増やすことができるという利点がある。
【００４０】
図３は、分散型のパス制御を行う通信システムを示す構成図である。図２との違いは、パス制御サーバ１の構成要素（パス制御部１０およびネットワークＤＢ２０）が、１つの装置に集中する代わりに、各スイッチ３００に分散されていることである。これにより、各スイッチ３００は、自律的に（独立に）パスを制御することとなる。
【００４１】
図４は、スイッチ部３１４を示す構成図である。スイッチ部３１４は、例えば、４本の入力回線と４本の出力回線をもち、各入力回線は、各出力回線に対して、通過または接続の２つの状態をもつエレメントＥＬを経由して接続される。エレメントＥＬが斜めの場合は出力回線と接続されることを示す。ここで入力＃１からの信号は出力＃３へ、入力＃３からの信号は出力＃２へ、入力＃２および入力＃４の信号はいずれにも出力されない例を示している。
【００４２】
図５は、セグメントパスＳＰを用いたパス制御を示すフローチャートである。
【００４３】
まず、セグメントパスＳＰの確立（Ｓ１０１）について、説明する。スイッチ３０１は、スイッチ３０４までの間にセグメントパスＳＰを確立する。セグメントパスＳＰの確立は、各スイッチ３００の結線を指示することにより、実現される。セグメントパスＳＰの設定は、セグメントパスＳＰの上流側（データの送信側）から下流側（データの受信側）まで順に送信されるパス設定のメッセージ、および、下流側から上流側まで順に送信されるパス返信のメッセージにより、これらのメッセージを経由した装置において、行われる。図５は、パス設定指示がスイッチ３０１、スイッチ３０２、スイッチ３０３、スイッチ３０４の順に行われ、パス設定が行われた後に、パス設定が完了したことを通知するメッセージ（パス返信）がパス設定とは逆方向に通知されることを示している。
【００４４】
次に、セグメントパスＳＰをもとにした通信用パスＣＰの確立（Ｓ１０２）について、説明する。送信端末１００は、４つのスイッチ３００を経由して、受信端末５００に通信用パスＣＰを設定する。ここで、パス計算部１２は、Ｓ１０１で確立したセグメントパスＳＰを含めるようにして、通信用パスＣＰを設定する。そして、パス設定部１４は、パス計算部１２により算出された通信用パスＣＰの経路となる各装置に、パスを設定するように制御信号を送信する。なお、制御信号のメッセージ（パス設定、パス返信）は、Ｓ１０１と同じである。
【００４５】
パス設定が指示されると、それぞれのスイッチ３００が設定を行い、入力回線と出力回線が結線される。この状態でデータ送信から受信端末５００までのデータ送信が可能となる。通信用パスＣＰを設定した各装置は、開通した新規の通信用パスＣＰを設定パスＤＢ２４に登録すると同時に、セグメントパスＤＢ２６からセグメントパスＳＰの情報を削除する。
【００４６】
パス制御部１０は、スイッチ３０１からスイッチ３０４の間にセグメントパスＳＰが存在する場合には、スイッチ３０１およびスイッチ３０４、５００の順にパス設定指示を行うことによりパス設定が完了する。これにより設定時間は間の２つのスイッチ３００（スイッチ３０２、スイッチ３０３）を設定するために必要な時間が削減可能となる。
【００４７】
そして、通信用パスＣＰの開放（Ｓ１０３）について、説明する。送信端末１００は、Ｓ１０２で確立された通信用パスＣＰについて、例えば管理者からの管理コマンドの入力によって、開放を行う。パス開放が指示されると、それぞれのスイッチ３００が設定を行い、入力回線と出力回線の結線が取り除かれる。
【００４８】
スイッチ３０１、スイッチ３０４は、結線（入力回線と出力回線）を取り除くことによりパスが開放され、通信用パスＣＰは設定パスＤＢ２４から削除される。それと同時に、セグメントパスＤＢ２６にスイッチ３０１からスイッチ３０４までセグメントパスＳＰがあることを登録する。
【００４９】
そして、パス制御部１０は、通信用パスＣＰからセグメントパスＳＰを生成する（セグメントパスＳＰを残す）か否かの判断を行う。この際、必ずセグメントパスＳＰを生成してもよいし、通信用パスＣＰの設定および開放の履歴をパス履歴ＤＢ２８に残し、パス設定履歴が多い区間のみに、セグメントパスＳＰを残してもよい。
【００５０】
以上、図５に沿って、セグメントパスＳＰを用いたパス制御の動作を説明した。このセグメントパスＳＰを用いたパス制御の効果を説明するために、図６に示すセグメントパスＳＰを用いないパス制御との比較を行う。
【００５１】
まず、通信用パスＣＰの確立（Ｓ１０２およびＳ２０１）について、セグメントパスＳＰを用いないパス制御（Ｓ２０１）は、送信端末１００〜受信端末５００のパス設定の動作が往復で１２回であるのに対し、セグメントパスＳＰを用いたパス制御（Ｓ１０２）は、送信端末１００〜受信端末５００のパス設定の動作が往復で８回で済む。
【００５２】
次に、通信用パスＣＰの開放（Ｓ１０３およびＳ２０２）について、セグメントパスＳＰを用いないパス制御（Ｓ２０２）は、送信端末１００〜受信端末５００のパス開放の動作が往復で１２回であるのに対し、セグメントパスＳＰを用いたパス制御（Ｓ１０３）は、送信端末１００〜受信端末５００のパス開放の動作が往復で８回で済む。
【００５３】
以上のように、セグメントパスＳＰを用いることにより、通信用パスＣＰの制御を行う装置の数を減らすことができる。これにより、経由するノード数の増加に伴うパスの設定完了までの時間の長期化、パスの数の増加に伴う制御メッセージの増加によるサーバ負荷の増加、などの非効率なパス制御を軽減できるという効果を得る。
【図面の簡単な説明】
【００５４】
【図１】本発明の一実施形態に関する２種類のパスを示す説明図である。
【図２】本発明の一実施形態に関する集中型のパス制御を行う通信システムを示す構成図である。
【図３】本発明の一実施形態に関する分散型のパス制御を行う通信システムを示す構成図である。
【図４】本発明の一実施形態に関するスイッチ部を示す構成図である。
【図５】本発明の一実施形態に関するセグメントパスを用いたパス制御を示すフローチャートである。
【図６】本発明の一実施形態に関するセグメントパスを用いないパス制御を示すフローチャートである。
【符号の説明】
【００５５】
ＣＰ    通信用パス
ＳＰ    セグメントパス
１      パス制御サーバ
１０    パス制御部
２０    ネットワークＤＢ
１００  送信端末
３００  スイッチ
５００  受信端末
【図１】
2006157709.tif 000003
【図２】
2006157709.tif 000004
【図３】
2006157709.tif 000005
【図４】
2006157709.tif 000006
【図５】
2006157709.tif 000007
【図６】
2006157709.tif 000008